(57)【特許請求の範囲】
【請求項１】
オーダ情報と当該オーダ情報に基づいて撮影された医用画像との整合性をチェックし、当該オーダ情報に基づいて撮影された医用画像の画質が診断において許容範囲内であるか否かをチェックするための検像装置において、
第１の外部機器から、前記オーダ情報、当該オーダ情報に基づいて撮影された医用画像及び当該医用画像の撮影状況に基づいて前記医用画像を撮影したユーザにより作成された撮影評価に関する情報を受信する通信部と、
前記撮影評価に関する情報に基づいて設定された第２の外部機器への送信を保留する医用画像の設定に関する送信保留情報を記憶する記憶部と、
前記撮影評価に関する情報と前記送信保留情報とに基づいて、前記第２の外部機器へ前記医用画像の送信を行うか保留するかを判断し、送信を行う場合には前記通信部により前記医用画像をチェック済みの医用画像として前記第２の外部機器へ送信する制御を行う制御部と、
を備えること、を特徴とする検像装置。
【請求項２】
前記撮影評価に関する情報は、
前記医用画像を撮影したユーザが撮影状況を踏まえて予め定められたフォーマット上にて作成した情報であって、撮影状況を示す項目ごとに評価した情報又は撮影を総合評価した情報を含み、
前記送信保留情報は、
前記撮影状況を示す項目ごとに評価した情報又は前記撮影を総合評価した情報に基づいて設定された送信を保留する条件の情報を含み、
前記制御部は、
前記撮影評価に関する情報が前記送信を保留する条件の情報に該当する場合、前記第２の外部機器への前記医用画像の送信を保留すると判断すること、
を特徴とする請求項１に記載の検像装置。
【請求項３】
前記送信保留情報の設定を受け付ける入力部を備えること、
を特徴とする請求項１又は２に記載の検像装置。
【請求項４】
オーダ情報及び当該オーダ情報に基づいて撮影された医用画像を送信する情報処理システムと、前記オーダ情報と前記医用画像との整合性をチェックし、前記医用画像の画質が診断において許容範囲内であるか否かをチェックするための検像装置と、前記検像装置によるチェック済みの医用画像を記憶し管理する画像管理装置と、を含む検像システムにおいて、
前記情報処理システムは、
前記オーダ情報及び前記医用画像とともに、前記医用画像の撮影状況に基づいて前記医用画像を撮影したユーザにより作成された撮影評価に関する情報を前記検像装置に送信し、
前記検像装置は、
前記情報処理システムから、前記オーダ情報、当該オーダ情報に基づいて撮影された医用画像及び当該医用画像の撮影状況に基づいて前記医用画像を撮影したユーザにより作成された撮影評価に関する情報を受信する通信部、
前記撮影評価に関する情報に基づいて設定された前記画像管理装置への送信を保留する医用画像の設定に関する送信保留情報を記憶する記憶部、
前記撮影評価に関する情報と前記送信保留情報とに基づいて、前記画像管理装置へ前記医用画像の送信を行うか保留するかを判断し、送信を行う場合には前記医用画像を前記チェック済みの医用画像として前記画像管理装置へ送信する制御を行う制御部、を有すること、
を特徴とする検像システム。
【請求項５】
前記情報処理システムは、
前記撮影評価に関する情報をＤＩＣＯＭ通信又はＴＣＰ／ＩＰ通信により前記検像装置に送信すること、
を特徴とする請求項４に記載の検像システム。
【請求項６】
前記情報処理システムは、
前記オーダ情報及び前記撮影評価に関する情報を検像装置に送信するＲＩＳと、
前記医用画像を検像装置に送信するモダリティと、
から構成されること、
を特徴とする請求項４又は５に記載の検像システム。
【発明の詳細な説明】
【技術分野】
【０００１】
本発明は、検像装置及び検像システムに関する。
【背景技術】
【０００２】
病院や診療所では、モダリティを用いた検査が行われる。「モダリティ」とは、例えばＸ線撮影装置、ＭＲＩ撮影装置、ＣＴ撮影装置等の医療機器をいう。通常、モダリティは、撮影業務を専門に行う技師により操作され、撮影専門の技師の操作により患者を撮影して医用画像を生成する。撮影により生成された医用画像は、この後、検像装置に送信される。
【０００３】
「検像装置」とは、モダリティにより撮影された医用画像を画面上に表示して検像するための装置である。「検像」とは、（１）画面上に表示された医用画像が診断において許容される範囲内であるか否かチェックすること、又は、許容範囲内でない場合にはそれを修正すること、（２）画像に付帯された情報の真正性を確認し、問題があった時修正を行うことをいう。「真正性」とは、医師の依頼内容、検査の予約内容、検査の実施内容、検査を受けた患者の情報などは何れも正確であることをいう。
【０００４】
検像が行われる場所は、ダブルチェックによる安全確保、情報に関する責任の所在、画質の再現性確保等の観点から、モダリティによる撮影が行われる場所とは異なる場所であることが望ましく、また異なる場所であるのが一般的である。すなわち、多くの病院や診療所では、撮影室にて撮影専門の技師によりモダリティによる撮影が行われ、撮影により生成された医用画像はネットワークを介して撮影室とは異なる場所に設置された検像装置に集中送信される。そして、そこで検像専門の技師により検像が行われることになる。
【０００５】
検像専門の技師は、迅速かつ適切に、例えば医用画像の画質低下についてチェックし、画質低下があった場合にはそれが通常の診断において許容できる範囲内か否かチェックし、許容範囲内でない場合には撮影専門の技師に対して再度の撮影を依頼するか、或いは許容範囲内になるよう画像処理等を施す。
【０００６】
診断において許容範囲内であると判断された、又は許容範囲内になるよう画像処理が施された検像済み医用画像は、画像管理装置に送信され、その後医師による診断に供されることになる。なお、ここでいう画像管理装置は一般に、ＰＡＣＳ（Picture Archiving and Communication System）と呼ばれる。
検像装置又は検像装置を含むシステムについては、例えば下記に示す特許文献１に記載の技術が存在する。
【０００７】
特許文献１には、他の装置（モダリティ）から医用画像を受信して画像処理を行い、画像処理された医用画像を他の装置（ＰＡＣＳ）に送信する医用画像処理装置（検像装置）であって、受信された医用画像の統計的性質を解析してその結果が適正範囲から外れているとき、適正範囲外であることを警告する検像装置又はシステムが開示されている。
【先行技術文献】
【特許文献】
【０００８】
【特許文献１】特開２００４−２９０３２９号公報
【発明の概要】
【発明が解決しようとする課題】
【０００９】
しかし、特許文献１に記載の技術では、撮影専門の技師による撮影評価を検像専門の技師が把握することができないために、万全なチェックが図れるとはいえない。具体的には、以下の通りである。
【００１０】
検像専門の技師は、上述したように、ダブルチェックによる安全性確保等の観点から撮影専門の技師とは異なり、また異なる場所で業務を行っている場合が多い。そのため、検像専門の技師は、例えば呼吸を一定期間停止する撮影時に患者がどの程度動いたか、或いは、造影剤が特定使用量分だけ適切に注射されたか否か等の撮影状況について、把握することができない。すなわち、検像専門の技師は、撮影専門の技師による評価を把握することなく検像を行うことになる。よって、検像専門の技師は、撮影評価に応じて個別に必要なチェックを行うことはできず、同一オーダに基づいて生成された医用画像であれば全て同様に検像することしかできない。これでは、万全なチェックが図れるとはいえない。
【００１１】
また、一つのモダリティに対して一つの検像装置が設けられることは稀であり、通常は、複数のモダリティにより生成された医用画像は、一つの検像装置にて集中的に検像されることが多い。このような場合、検像専門の技師は、全ての医用画像を日々チェックすることとなるが、検像業務がルーティン化するため、検像業務の負担増加と共に、画質低下等のチェックの見落としが発生しやすくなり、万全なチェックが図れるとはいえない。
【００１２】
本発明の課題は、検像専門の技師による検像の強化を図り得る検像装置又は検像システムを提供することである。
【課題を解決するための手段】
【００１３】
本発明によれば、オーダ情報と当該オーダ情報に基づいて撮影された医用画像との整合性をチェックし、当該オーダ情報に基づいて撮影された医用画像の画質が診断において許容範囲内であるか否かをチェックするための検像装置において、第１の外部機器から、前記オーダ情報、当該オーダ情報に基づいて撮影された医用画像及び当該医用画像の撮影状況に基づいて前記医用画像を撮影したユーザにより作成された撮影評価に関する情報を受信する通信部と、前記撮影評価に関する情報に基づいて設定された第２の外部機器への送信を保留する医用画像の設定に関する送信保留情報を記憶する記憶部と、前記撮影評価に関する情報と前記送信保留情報とに基づいて、前記第２の外部機器へ前記医用画像の送信を行うか保留するかを判断し、送信を行う場合には前記通信部により前記医用画像をチェック済みの医用画像として前記第２の外部機器へ送信する制御を行う制御部と、を備える検像装置が提供される。
【００１４】
また、本発明によれば、オーダ情報及び当該オーダ情報に基づいて撮影された医用画像を送信する情報処理システムと、前記オーダ情報と前記医用画像との整合性をチェックし、前記医用画像の画質が診断において許容範囲内であるか否かをチェックするための検像装置と、前記検像装置によるチェック済みの医用画像を記憶し管理する画像管理装置と、を含む検像システムにおいて、前記情報処理システムは、前記オーダ情報及び前記医用画像とともに、前記医用画像の撮影状況に基づいて前記医用画像を撮影したユーザにより作成された撮影評価に関する情報を前記検像装置に送信し、前記検像装置は、前記情報処理システムから、前記オーダ情報、当該オーダ情報に基づいて撮影された医用画像及び当該医用画像の撮影状況に基づいて前記医用画像を撮影したユーザにより作成された撮影評価に関する情報を受信する通信部、前記撮影評価に関する情報に基づいて設定された前記画像管理装置への送信を保留する医用画像の設定に関する送信保留情報を記憶する記憶部、前記撮影評価に関する情報と前記送信保留情報とに基づいて、前記画像管理装置へ前記医用画像の送信を行うか保留するかを判断し、送信を行う場合には前記医用画像を前記チェック済みの医用画像として前記画像管理装置へ送信する制御を行う制御部、を有する検像システムが提供される。
【発明の効果】
【００１５】
本発明によれば、撮影評価に関する情報と送信保留情報とに基づく判断結果に応じて、医用画像をチェック済みの医用画像として送信できる。よって、検像専門の技師は、送信が保留と判断された医用画像のみを検像すればよく、検像業務の軽減を図ることができ、当該医用画像について迅速かつ適切なチェックを行うことができる。従って、検像専門の技師による検像の強化を図る検像装置及び検像システムを提供することができる。
【図面の簡単な説明】
【００１６】
【図１】検像システムの全体構成を示す図である。
【図２】ＲＩＳの画面に表示される撮影評価に関する情報の一例を示す図である。
【図３】検像装置の画面に表示される撮影評価に関する情報の一例を示す図である。
【図４】検像装置に表示される送信保留情報の設定を受け付ける画面の一例を示す図である。
【図５】検像装置の機能ブロック図を示す図である。
【図６】検像装置の表示処理を示す図である。
【図７】検像装置の画面例を示す図である。
【図８】検像装置の自動送信処理を示す図である。
【図９】撮影評価に関する情報の利用例を示す図である。
【発明を実施するための形態】
【００１７】
本実施形態における検像装置又は検像システムの構成及び動作について、図面を用いて詳細に説明する。なお、本実施形態は本発明の一例に過ぎず、本発明はこれに限定されるものではない。
【００１８】
図１に、検像システム１０の全体構成を示す。
検像システム１０は、ＲＩＳ１、モダリティ２、検像装置３、ＰＡＣＳ４等を備えて構成される。各装置（１〜４）はＬＡＮやＷＡＮにより通信可能に接続されており、通信規格は例えばＨＬ７（Health Level 7）又はＤＩＣＯＭ（Digital Imaging and Communication in Medicine）等が採用される。
【００１９】
ＲＩＳ１は、患者情報又は検査情報を登録して一元管理するための端末である。
なお、「ＲＩＳ」とは、本来、「Radiology Information System」の略であり放射線情報システムを意味するが、ここでは放射線情報システムを利用して患者情報又は検査情報を一元管理する端末として説明する。
【００２０】
「患者情報」とは、患者を特定するための情報であり、例えば患者ＩＤ、氏名、性別、生年月日等が含まれる。また、「検査情報」とは、検査を特定するための情報であり、例えば検査ＩＤ、モダリティ情報、撮影情報等が含まれる。
【００２１】
以下の説明では、ＲＩＳ１により一元管理される患者情報又は検査情報を総称して「オーダ情報」と表現する。なお、オーダ情報は、図示しない受付端末からＨＩＳ（Hospital Information System）によりＲＩＳ１に送信されるか、或いはＲＩＳ１にて撮影専門の技師に直接入力される。
【００２２】
ＲＩＳ１は、登録されたオーダ情報ｄ１をモダリティ２又は検像装置３に送信する。また、本実施形態では、ＲＩＳ１は、撮影評価に関する情報ｄ３を検像装置３に送信する。なお、撮影評価に関する情報ｄ３は、後述するように、医用画像ｄ２と直接には関係のない情報であることから、ＲＩＳ１と検像装置３との間における撮影評価に関する情報ｄ３のやりとりは、必ずしもＤＩＣＯＭ通信である必要はなく、通常のＴＣＰ／ＩＰ通信であってもよい。
【００２３】
図２に、ＲＩＳ１の画面に表示される撮影評価に関する情報ｄ３の一例を示す。
「撮影評価に関する情報」とは、撮影専門の技師が撮影状況を踏まえた上で、撮影状況を示す項目ごとに評価した情報又は撮影を総合評価した情報を含むものであり、撮影評価の対象である医用画像と対応付けられている。
【００２４】
「撮影状況を示す項目」とは、検査内容ごとに異なるフォーマットにて予め定められた項目（例えば、「ＩＶ良好」、「造影剤漏れなし」、「撮影タイミング良好」…等）である。フォーマットは、ＲＩＳ１にて記憶されている。
【００２５】
「撮影状況を示す項目ごとに評価した情報」とは、フォーマットにて予め定められた項目についてのチェックの有無に関する情報をいう。
【００２６】
「撮影を総合評価した情報」とは、現場で実際に撮影を行った撮影専門の技師による総合的な自己評価に関する情報であり、図２では、「撮影評価」に対する数値である。この「撮影を総合評価した情報」とは、例えば、１〜５までの範囲のうちの何れかの数値で示される。数値は、撮影専門の技師が自己評価に基づいてＲＩＳ１にて入力する。
撮影専門の技師は、撮影は上出来きであると判断した場合は「５」、通常通りと判断した場合は「４」、やや気になると判断した場合は「３」、あまり上手くできず撮影画像の確認が必要であると判断した場合は「２」、再撮影が必要な程度に全くできず撮影画像の確認が必要であると判断した場合は「１」、のいずれかの数値を「撮影を総合評価した情報」としてＲＩＳ１にて入力する。
【００２７】
一般に、ＲＩＳ１とモダリティ２は比較的近い場所に設置されており、同一の撮影専門の技師がＲＩＳ１とモダリティ２とを操作する。撮影専門の技師は、ＲＩＳ１からのオーダ情報ｄ１をモダリティ２に送信する作業を行い、モダリティ２に送信されたオーダ情報ｄ１に基づいて、モダリティ２を操作して患者を実際に撮影する作業を行う。患者の撮影は、オーダ情報ｄ１に忠実に基づいて行われることが望ましいが、実際の撮影現場では患者の状態や検査の難易度等によりオーダ情報ｄ１に忠実とはいえない状況下で撮影される場合がある。撮影専門の技師は、こうした実際の撮影状況を踏まえた上で、ＲＩＳ１にて図２に示すようなフォーマット上で撮影を評価する。ＲＩＳ１は、撮影専門の技師により作成された撮影評価を「撮影評価に関する情報」として検像装置３に送信する。
【００２８】
モダリティ２は、患者を撮影して医用画像ｄ２を生成する医療機器であり、例えばＸ線撮影装置、ＭＲＩ装置、ＣＴ装置、超音波診断装置等がある。モダリティ２は、ＲＩＳ１からのオーダ情報ｄ１に基づいて医用画像ｄ２を生成し、生成された医用画像ｄ２を検像装置３に送信する。送信される医用画像ｄ２にはオーダ情報ｄ１が付帯される。
【００２９】
なお、既述の説明又は図１において、撮影評価に関する情報ｄ３はＲＩＳ１により生成されて検像装置３に送信されるとしたがこれに限らず、モダリティ２により生成されて検像装置３に送信されるとしてもよい。この場合、撮影評価に関する情報ｄ３は、医用画像ｄ２と別にして個別に送信されるとしてもよいし、医用画像ｄ２に付帯して送信されるとしてもよい。
【００３０】
また、モダリティ２は、図１においては１つだけしか表記されていないがこれに限らず、モダリティ２及びこれに対応するＲＩＳ１を複数備えるとしてもよい。
また、ＲＩＳ１及びモダリティ２は、検像装置３からすれば、各種医用情報（オーダ情報ｄ１、医用画像ｄ２及び撮影評価に関する情報ｄ３）を検像装置３に対して送信する一つのシステムとしてとらえることができる。よって以下の説明では、ＲＩＳ１及びモダリティ２を総称して「情報処理システム１１」と表現する。なお、大規模医療機関の多くは、例えばＸ線撮影装置、ＭＲＩ装置、ＣＴ装置等のモダリティを複数備えており、複数の情報処理システム１１を備える。
【００３１】
検像装置３は、モダリティ２により生成された医用画像ｄ２を検像するための端末である。検像装置３は、撮影専門の技師とは異なる検像専門の技師により操作され、検像専門の技師によるチェックのためＲＩＳ１からのオーダ情報ｄ１及びモダリティ２からの医用画像ｄ２を画面上に表示する。検像装置３では、検像専門の技師により、主として（１）ＲＩＳ１からのオーダ情報ｄ１とモダリティ２からの医用画像ｄ２とが一致しているか否か、及び、（２）モダリティ２からの医用画像ｄ２の画質が診断において許容できる範囲内であるか否か、についてチェックされる。
本実施形態では、検像装置３は更に、撮影評価に関する情報ｄ３を画面に表示する。
【００３２】
図３に、検像装置３の画面に表示される撮影評価に関する情報ｄ３の一例を示す。
なお、図３に示す撮影評価に関する情報ｄ３の内容は、図２に示す撮影評価に関する情報ｄ３の内容と同様であり対応している。また、図３では、撮影評価に関する情報ｄ３はオーダ情報ｄ１と合わせて画面に表示されている。
【００３３】
図３に示す撮影評価に関する情報ｄ３は、基本的には図２に示す撮影評価に関する情報ｄ３の内容と同様であるが、検像するに際して特に注意してチェックすべき項目については識別標識（例えば、「！」マーク等）が付される。識別標識が付される箇所は、撮影専門の技師が撮影評価に関する情報ｄ３を作成する際にチェックを入れた項目、又は入れなかった項目である。具体的には、図２において「ＩＶ良好」の項目にチェックが入れられていないため、図３においては「ＩＶ不良」として表示され、識別標識が付される（Ｅ１）。また、図２において「息止め良好」の項目にチェックが入れられていないため、図３においては「息止め不良」として表示され、識別標識が付される（Ｅ２）。また、撮影専門の技師による総合評価を一見して把握容易とするため、撮影評価にも識別標識（例えば、図２において「撮影評価」に対する数値が「５」であることから、図３においては５つの「☆」マーク等）が付される（Ｅ３）。
【００３４】
検像装置３の画面に図３に示すような撮影評価に関する情報ｄ３が表示されることで、検像専門の技師は撮影評価に応じて個別に医用画像ｄ２を検像することができ、生成された医用画像ｄ２について万全なチェックを図ることができる。更には、注意すべき箇所が明確であるから迅速かつ適切なチェックを図ることができる。
【００３５】
また本実施形態では、検像装置３は、ＰＡＣＳ４への送信を保留する医用画像の設定に関する情報（以下、送信保留情報と略す）の設定を受け付ける画面を表示する。
図４に、検像装置３の画面に表示される送信保留情報ｄ５の設定を受け付ける画面の一例を示す。送信保留情報ｄ５は、モダリティ２から受信した医用画像に対する撮影評価に関する情報ｄ３に基づき、ＰＡＣＳ４への医用画像の「送信を保留する条件の情報」を含むものである。
【００３６】
「送信を保留する条件」とは、撮影評価に関する情報ｄ３に基づいて予め定められた条件である。例えば、図４においては「撮影状況を示す全ての項目に対するチェックが存在しない」、「撮影評価が３以下」…等）である。なお、「送信を保留する条件」としては、撮影評価に関する情報が存在しない、チェックの有る撮影状況を示す項目数がＮ以上（Ｎは予め設定された数値）、撮影状況を示す項目それぞれのチェックの有無等、撮影評価に関する情報ｄ３に含まれる各種情報を組み合わせることも可能である。
【００３７】
「送信を保留する条件の情報」とは、「送信を保留する条件」についてのチェックの有無に関する情報であり、検像専門の技師により、図４に示す画面においてチェックが入れられ、保存終了ボタンＢ１が押下されることにより設定される。
従って、送信保留情報の設定を受け付ける画面を表示する検像装置３の後述する表示部及び当該画面上のボタンを操作する後述する操作部は、送信保留情報の設定を受け付ける入力部を実現する。
【００３８】
図５に、検像装置３の機能ブロック図を示す。
検像装置３は、制御部３１、操作部３２、表示部３３、通信部３４、記憶部３５等を備えて構成される。
【００３９】
制御部３１は、ＣＰＵ、ＲＡＭ、ＲＯＭ等を備えて構成され、ＣＰＵがＲＯＭに記憶されている各種プログラムをＲＡＭに展開し、ＲＡＭに展開された各種プログラムとの協働により検像装置３の動作を集中制御する。
【００４０】
操作部３２は、キーボードやマウス等を備えて構成され、検像専門の技師の操作により操作信号を生成してこれを制御部３１に出力する。
【００４１】
表示部３３は、ＬＣＤや有機ＥＬ等のディスプレイを備えて構成され、制御部３１からの制御信号に基づいて、医用画像ｄ２や各種操作画面を表示する。本実施形態では、表示部３３は、医用画像ｄ２とともに、オーダ情報ｄ１及び撮影評価に関する情報ｄ３（図３参照）、送信保留情報ｄ５（図４参照）を表示する。
【００４２】
通信部３４は、通信用インターフェイス等を備えて構成され、情報処理システム１１からオーダ情報ｄ１、医用画像ｄ２及び撮影評価に関する情報ｄ３を受信する。また、通信部３４は、検像済み医用画像ｄ４をＰＡＣＳ４に送信する。
【００４３】
記憶部３５は、ＲＯＭ等の不揮発性メモリを備えて構成され、システムプログラム、各種処理プログラム等を記憶する。また、記憶部３５は、オーダ情報ｄ１、医用画像ｄ２、撮影評価に関する情報ｄ３、検像済み医用画像ｄ４、送信保留情報ｄ５等を記憶する。
【００４４】
ＰＡＣＳ４は、検像装置３により検像された検像済み医用画像ｄ４を記憶して一元管理する画像管理装置である。なお、「ＰＡＣＳ」とは、本来、「Picture Archiving and Communication System」の略であり放射線画像情報システムを意味するが、ここでは放射線画像情報システムを利用して検像済み医用画像ｄ４を一元管理する端末として説明する。
【００４５】
図６を参照して、検像装置３の表示処理について説明する。
検像装置３の表示処理は、検像専門の技師が検像装置３を用いて検像する際に行われる処理である。
【００４６】
制御部３１は、モダリティ２から医用画像ｄ２を受信したか否か判断する（ステップＳ１）。制御部３１は、医用画像ｄ２を受信するまで待機し（ステップＳ１；Ｎ）、受信した場合に次のステップに移行する（ステップＳ１；Ｙ）。
【００４７】
制御部３１は、ＲＩＳ１からステップＳ１において受信した医用画像ｄ２に対するオーダ情報ｄ１を受信したか否か判断する（ステップＳ２）。ＲＩＳ１からオーダ情報ｄ１を受信した場合（ステップＳ２；Ｙ）、制御部３１は、オーダ情報ｄ１及び医用画像ｄ２を表示部３３に表示する（ステップＳ３）。その後、制御部３１はステップＳ５に移行する。
【００４８】
ＲＩＳ１からオーダ情報ｄ１を受信していない場合（ステップＳ２；Ｎ）、制御部３１は、医用画像ｄ２を表示部３３に表示する（ステップＳ４）。その後、制御部３１はステップＳ５に移行する。
【００４９】
制御部３１は、ＲＩＳ１からステップＳ１において受信した医用画像ｄ２に対応する撮影評価に関する情報ｄ３を受信したか否か判断する（ステップＳ５）。撮影評価に関する情報ｄ３を受信していない場合（ステップＳ５；Ｎ）、制御部３１は、ステップＳ９に移行する。
【００５０】
撮影評価に関する情報ｄ３を受信した場合（ステップＳ５；Ｙ）、制御部３１は、項目ごとにＮＧ項目があるか否か判断する（ステップＳ６）。
【００５１】
「ＮＧ項目」とは、図３の説明で既述したように、検像するに際して特に注意してチェックすべき項目であって、識別標識（例えば、「！」マーク等）を付すべき項目をいう。
例えば制御部３１は、撮影評価に関する情報ｄ３を受信した場合、「ＩＶ良好」、「造影剤漏れなし」、「撮影タイミング良好」、「息止め良好」、…等の項目ごとに、ＮＧ項目があるか否か判断し、「ＩＶ良好」や「息止め良好」の項目にチェックがない場合、制御部３１は、これらの項目をＮＧ項目として判断する（図２及び図３参照）。
【００５２】
ＮＧ項目がある場合（ステップＳ６；Ｙ）、制御部３１は、撮影評価に関する情報ｄ３に識別標識を付して、これを表示部３３に表示する（ステップＳ７）。
なお、識別標識を付して表示することにより、検像専門の技師に対して警告を行い、検像するに際して注意を促すことができる。検像専門の技師は、識別標識による警告を一見して容易に把握することができるため、特に注意して検像することになる。
【００５３】
ＮＧ項目がない場合（ステップＳ６；Ｎ）、制御部３１は、撮影評価に関する情報ｄ３をそのまま表示部３３に表示する（ステップＳ８）。
なお、識別標識を付さずにそのまま表示することにより、検像専門の技師は、識別標識による警告がないため通常どおりの検像を行えばよいと容易に把握する事ができ、検像するに際しては撮影評価に関する情報ｄ３を参考資料として利用することができる。
【００５４】
制御部３１は、医用画像ｄ２は検像済みであるか否か判断する（ステップＳ９）。
検像済みでない場合（ステップＳ９；Ｎ）、制御部３１は、ステップＳ５に移行する。
【００５５】
検像済みである場合（ステップＳ９；Ｙ）、制御部３１は、本表示処理を終了する。
なお、本処理終了後、制御部３１は検像済み医用画像ｄ４をＰＡＣＳ４に送信する等の処理を行うとしてもよい。
【００５６】
図７に、検像装置３の表示部３３により表示される画面例を示す。
図７に示す画面例は、表示処理（図６参照）が行われた場合の画面例である。
【００５７】
リストＬ１は、医用画像ｄ２に付帯されたオーダ情報ｄ１をリスト表示する領域である。また、その他にも、検像済みであるか否か、ＮＧ項目があるか否か、ＰＡＣＳ４に送信済みであるか否か等の情報を表示する領域である。
網掛け部分Ｃ１は、操作部３２により選択された部分である。操作部３２により選択されると、選択された部分が網掛けに切り替わって表示される。
【００５８】
領域Ｒ２は、モダリティ２からの医用画像ｄ２を表示する領域である。操作部３２により網掛け部分Ｃ１が選択されると、選択された患者の医用画像ｄ２が領域Ｒ２に表示される。
【００５９】
領域Ｒ１は、ＲＩＳ１からのオーダ情報ｄ１を表示する領域である。操作部３２により網掛け部分Ｃ１が選択されると、選択された患者のオーダ情報ｄ１が領域Ｒ１に表示される。
【００６０】
領域Ｒ３は、ＲＩＳ１からの撮影評価に関する情報ｄ３を表示する領域である。操作部３２により網掛け部分Ｃ１が選択されると、選択された患者の撮影評価に関する情報ｄ３が領域Ｒ３に表示される。
【００６１】
以上のように、表示処理によれば、検像装置３の画面上に撮影評価に関する情報ｄ３を表示することができ、検像専門の技師は撮影評価に関する情報ｄ３を参照して検像することができるため、生成された医用画像ｄ２について万全なチェックを図ることができる。
【００６２】
また、撮影評価に関する情報ｄ３に注意を喚起する識別標識（Ｅ１〜Ｅ３）を付して、これを検像装置３の画面上に表示することができる。検像専門の技師は撮影評価に関する情報ｄ３を参照することで注意してチェックすべきか否かを容易に把握することができ、生成された医用画像ｄ２について万全なチェックを図ることができる。
【００６３】
また、撮影評価に関する情報ｄ３は撮影専門の技師が予め定められたフォーマット上にて作成した情報であって、撮影状況を示す項目ごとに評価した情報又は総合評価した情報を含むものであり、項目ごとに識別標識を付すことができる。検像専門の技師は撮影評価に関する情報ｄ３を閲覧することで注意してチェックすべき項目を容易に把握することができ、生成された医用画像ｄ２について万全なチェックを図ることができる。
【００６４】
また、オーダ情報ｄ１、医用画像ｄ２及び撮影評価に関する情報ｄ３を検像装置３に送信する情報処理システム１１と、撮影評価に関する情報ｄ３を画面上に表示する検像装置３と、を含んで構成される検像システムにより、生成された医用画像ｄ２について万全なチェックを図ることができる。
【００６５】
図８を参照して、検像装置３の自動送信処理について説明する。
検像装置３の自動送信処理は、モダリティ２から医用画像ｄ２を受信した際に行われる処理である。
【００６６】
制御部３１は、モダリティ２から医用画像ｄ２、ＲＩＳ１から当該医用画像ｄ２に対するオーダ情報ｄ１、をそれぞれ受信し（ステップＳ１１）、受信したオーダ情報ｄ１及び医用画像ｄ２を表示部３３に表示する（ステップＳ１２）。
【００６７】
制御部３１は、Ｒ１Ｓ１に対して、ステップＳ１１において受信した医用画像ｄ２に対応する撮影評価に関する情報ｄ３を問い合わせ（ステップＳ１３）、ＲＩＳ１から撮影評価に関する情報ｄ３を受信したか否かを判断する（ステップＳ１４）。
【００６８】
制御部３１は、撮影評価に関する情報ｄ３を受信するまで待機し（ステップＳ１４；Ｎ）、受信した場合に次のステップに移行する（ステップＳ１４；Ｙ）。
【００６９】
制御部３１は、送信保留情報ｄ５を記憶部３５から読み出し、当該送信保留情報ｄ５と撮影評価に関する情報ｄ３とを照合する（ステップＳ１５）。
【００７０】
送信保留情報ｄ５と撮影評価に関する情報ｄ３との照合では、撮影評価に関する情報ｄ３が、送信保留情報ｄ５に含まれる送信を保留する条件の情報に該当するか否かが判断される。例えば制御部３１は、「撮影状況を示す全ての項目に対するチェックが存在しない」、「撮影評価が３以下」にチェックがある場合、撮影評価に関する情報ｄ３の「ＩＶ良好」や「息止め良好」等の項目全てにチェックがないか、「撮影評価」の数値が「３」以下であるかを判断する（図２及び図４参照）。
【００７１】
制御部３１は、ステップＳ１５においての照合の結果、医用画像ｄ２を検像済み医用画像ｄ４としてＰＡＣＳ４へ自動的に送信できるか否かを判断する（ステップＳ１６）。
【００７２】
医用画像を自動送信できるか否かの判断では、例えば制御部は、「撮影状況を示す全ての項目に対するチェックが存在しない」、「撮影評価が３以下」にチェックがある場合、撮影評価に関する情報ｄ３の「ＩＶ良好」や「息止め良好」等の項目全てにチェックがない、又は、「撮影評価」の数値が「３」以下である場合、自動送信できないと判断する。
なお、本実施形態では、送信保留情報ｄ５に含まれる「送信を保留する条件の情報」のうち少なくともいずれか一つに該当する場合には、自動送信できないと判断する例を挙げて説明するが、これに限らず、「送信を保留する条件の情報」全てに該当する場合に、自動送信できないと判断してもよい。
【００７３】
医用画像ｄ２を検像済み医用画像ｄ４としてＰＡＣＳ４へ自動的に送信できる場合（ステップＳ１６；Ｙ）、制御部３１は、医用画像ｄ２を検像済み医用画像ｄ４としてＰＡＣＳ４へ自動的に送信し（ステップＳ１７）、本自動送信処理を終了する。
送信保留情報ｄ５に含まれる「送信を保留する条件の情報」に該当しない撮影評価に関する情報ｄ３に対応する医用画像ｄ２は、正常な医用画像であるものとして、検像専門の技師による検像済みの医用画像ｄ４として扱われ、自動的にＰＡＣＳ４へ送信される。
従って、検像専門の技師が正常な医用画像を検像するという無駄な業務を省くことができる。
【００７４】
医用画像ｄ２を検像済み医用画像ｄ４としてＰＡＣＳ４へ自動的に送信できない場合（ステップＳ１６；Ｎ）、制御部３１は、医用画像ｄ２のＰＡＣＳ４への送信を保留して送信せず（ステップＳ１８）、本自動送信処理を終了する。
送信保留情報ｄ５に含まれる「送信を保留する条件の情報」に該当する撮影評価に関する情報ｄ３に対応する医用画像ｄ２は、検像の必要性がある要注意な医用画像であり、検像専門の技師による検像が必要な医用画像として扱われるため、ＰＡＣＳ４への送信が保留される。従って、像専門の技師は、要注意な医用画像をＰＡＣＳ４へ送信する前に確実に検像することができる。
【００７５】
以上のように、自動送信処理によれば、撮影評価に関する情報と送信保留情報とに基づく判断結果に応じて、モダリティ２から受信した医用画像を検像済みの医用画像としてＰＡＣＳ４へ送信できる。よって、検像専門の技師は、送信が保留と判断された医用画像のみを検像すればよく、検像業務の軽減を図ることができ、当該医用画像について迅速かつ適切なチェックを行うことができる。従って、検像専門の技師による検像の強化を図る検像装置及び検像システムを提供することができる。
【００７６】
また、撮影評価に関する情報に基づいて設定された送信を保留する条件の情報に該当する医用画像を、ＰＡＣＳ４に送信せずに保留することができるため、検像すべき要注意な医用画像の誤送信を防止できる。
【００７７】
また、検像専門の技師が図４に示す画面により送信保留情報を設定することができる。
【００７８】
また、情報処理システム１１は、撮影評価に関する情報ｄ３をＤＩＣＯＭ通信又はＴＣＰ／ＩＰ通信により検像装置３に送信することができる。
【００７９】
また、情報処理システム１１は、撮影評価に関する情報ｄ３を医用画像ｄ２に付帯させ、これをＤＩＣＯＭ通信により検像装置３に送信することができる。
【００８０】
また、情報処理システム１１は、オーダ情報ｄ１及び撮影評価に関する情報ｄ３を検像装置３に送信するＲＩＳ１と、医用画像ｄ２を生成して検像装置３に送信するモダリティ２と、から構成することができる。
【００８１】
なお、本実施形態では、表示処理と自動送信処理とを独立した処理として説明しているが、これらの処理を組み合わせて実行してもよい。例えば、自動送信処理を実行した後、ＰＡＣＳへ送信していない医用画像を対象にして、表示処理のステップＳ５〜Ｓ９の処理を実行してもよい。
【００８２】
図９を参照して、撮影評価に関する情報ｄ３をＣＳＶ（Comma Separated Values）形式にて利用する例について説明する。
【００８３】
制御部３１は、例えば画面Ｔ１を表示部３３に表示する。操作部３２により、画面Ｔ１にて検査日付が入力され「保存」ボタンが押下された場合、制御部３１は、入力された検査日付期間中にＲＩＳ１から受信した撮影評価に関する情報ｄ３をＣＳＶ形式にて記憶部３５に記憶する。記憶されたＣＳＶ形式のデータは、汎用性が高く異なる種類のアプリケーションソフト間のデータ交換に利用することができる。なお、データ形式は必ずしもＣＳＶ形式である必要はなく、他の汎用形式であってもよい。表示する端末側では、例えば画面Ｔ２のように表示される。
【００８４】
以上のように、図９に示す利用例によれば、ＲＩＳ１からの撮影評価に関する情報ｄ３を汎用性の高いデータに変換して記憶することができる。よって、撮影評価に関する情報ｄ３を検像装置３から他の端末（例えば、ＰＡＣＳ４やその他外部端末）に送信することができ、又は撮影評価に関する情報ｄ３を他の端末で受信して管理することができる。
【符号の説明】
【００８５】
１  ＲＩＳ
２  モダリティ
３  検像装置
４  ＰＡＣＳ
１０  検像システム
１１  情報処理システム
３１  制御部
３２  操作部
３３  表示部
３４  通信部
３５  記憶部
Ｂ１  保存終了ボタン
ｄ１  オーダ情報
ｄ２  医用画像
ｄ３  撮影評価に関する情報
ｄ４  医用画像
ｄ５  送信保留情報
【図１】
0005633358.tif 000002
【図２】
0005633358.tif 000003
【図３】
0005633358.tif 000004
【図４】
0005633358.tif 000005
【図５】
0005633358.tif 000006
【図６】
0005633358.tif 000007
【図７】
0005633358.tif 000008
【図８】
0005633358.tif 000009
【図９】
0005633358.tif 000010